(57)【要約】      （修正有）【課題】内部に光源を設け光透過性材料を介して発行するエレベータのセフティシューにおいて、発光部の光透過性材料の取り付けまたは交換を容易にする。【解決手段】光透過性材料２に突起部２ａまたは凹部を設け、この突起部または凹部によって光透過性材料をセフティシュー１に設けられる溝１ａまたは突起に嵌合する。【効果】光透過性材料が、セフティシューから容易に着脱可能となり、組立てや破損時における交換が容易になる。【選択図】図２
2007045613.tif 000002
【特許請求の範囲】
【請求項１】
内部に光源を設け、光透過性材料を介して発光する発光部を有するエレベータのセフティシューにおいて、
前記光透過性材料は、突起部または凹部を有し、かつ前記突起部または前記凹部によって前記セフティシューに嵌合することを特徴とするエレベータのセフティシュー。
【請求項２】
請求項１に記載のエレベータのセフティシューにおいて、前記突起部は、前記光透過性材料の長手方向に沿って設けられ、セフティシューフレームに設けられる溝と嵌合することを特徴とするエレベータのセフティシュー。
【請求項３】
請求項１に記載のエレベータのセフティシューにおいて、前記突起部は、前記光透過性材料の長手方向端部に設けられ、前記セフティシューの中空部と嵌合することを特徴とするエレベータのセフティシュー。
【請求項４】
請求項１に記載のエレベータのセフティシューにおいて、前記光透過性材料の前記凹部がセフティシューフレームが有する突起と嵌合することを特徴とするエレベータのセフティシュー。
【請求項５】
請求項４に記載のエレベータのセフティシューにおいて、前記セフティシューフレームが有する前記突起が、ネジ穴に螺合するネジまたはボルトで構成されることを特徴とするエレベータのセフティシュー。
【発明の詳細な説明】
【技術分野】
【０００１】
本発明は、発光部を設けたエレベータのセフティシューに関する。
【背景技術】
【０００２】
従来、発光部を設けたエレベータのセフティシューとしては、セフティシューの内壁に発光装置を取り付け、セフティシューの先端に取り付けた小窓状の光透過性材料より光を発する構成のものが知られている（例えば、特許文献１参照）。
【０００３】
【特許文献１】特開平７−１３７９７０号公報
【発明の開示】
【発明が解決しようとする課題】
【０００４】
しかし上記従来技術では、発光装置特に発光部の光透過性材料の取り付けや交換に対して考慮されていない。
【０００５】
本発明は、上記問題点を鑑みてなされたものであり、発光部の光透過性材料の取り付け又は交換を容易に行うことができるエレベータのセフティシューを提供する。
【課題を解決するための手段】
【０００６】
本発明によるセフティシューにおいては、発光部の光透過性材料に設けられる突起部または凹部によって、光透過性材料をセフティシューに嵌合する。
【発明の効果】
【０００７】
本発明によれば、セフティシュー発光部の光透過性材料の取り付け又は交換を容易に行うことができる。
【発明を実施するための最良の形態】
【０００８】
以下、本発明の実施例について、図面を用いて説明する。
【０００９】
図１は、本発明の一実施例であるエレベータの正面図である。エレベータかごの出入口上部にドアハンガーケース１０，ドアレール３０を設け、ドアハンガー２０により懸架されたかごドア５０がかご敷居４０によりガイドされ開閉する。かごドア５０には、レバー６０および７０によって支持されるセフティシュー８０が、その先端部がかごドア５０の前縁から突出するように設けられている。セフティシュー８０は、かごドア５０が全開したときに先端部が乗場側ドア（図示せず）より出張るように配置されており、セフティシュー８０が乗客などにより押されて後退した場合に、ドアが開く（又はドア閉しない）ように検出スイッチ９０を設けて制御している。セフティシュー８０には、発光部１００が取り付けられている。発光部１００内には光源が設けられ、かごドア５０の開閉時に、光源が点灯あるいは点滅して、かごドア５０の開閉を報知する。
【００１０】
図２及び図３は、それぞれ、図１におけるセフティシュー８０の発光部１００を示す斜視図及び断面図である。光源３を取り付けたセフティシューフレーム１に光透過性材料２をかぶせた構成となっている。光透過性材料２先端の形状は、セフティシュー８０の他の部分の先端部と同様に湾曲状である。光透過性材料２には爪状の突起２ａが長手方向に沿って全域もしくは複数箇所に形成しており、セフティシューフレーム１には長手方向に溝１ａが形成されている。溝１ａに爪状の突起２ａが嵌合して噛み合うことで、発光部100を迅速かつ確実に組立てることができる。また、セフティシューフレーム１と光透過性材料２は、溝１ａに沿って互いに摺動可能であるので、両者の位置調整が容易である。また、光透過性材料２は、爪状の突起２ａ部を内側に押し付けることで、溝１ａから取り外すことができ、また溝１ａに嵌めこむことができる。このため、光透過性材料２は、セフティシューから容易に着脱可能であり、組立てや破損時などにおける交換が容易になる。
【００１１】
なお、光透過性材料２としては、ポリカーボネート等の光透過性樹脂やガラスなどが適用できる。光透過性材料は、透明であっても良いし、色付きでも良い。また、光源３としては、電球や発光ダイオード（ＬＥＤ）等が用いられる。
【００１２】
図４は本発明の他の実施例であるエレベータのセフティシューの発光部を示す斜視図である。本実施例においては、光透過性材料２の長手方向における両端部（図４では片方の端部のみ図示）、すなわち取り付け状態における上端部および下端部に台状の突起２ｂを設け、この突起２ｂが発光部１００の上下に位置するセフティシュー８０（図１参照）の中空部５にて挟み込むことによって、セフティシューフレーム１に取り付ける構成となっている。ここで、セフティシュー８０の中空部５に嵌合するような台状の突起２ｂにしておけば、組立て時の位置決めが容易であるばかりか、上下で挟んでいるので光透過性材料２が抜け出すこともない。
【００１３】
図５は本発明の他の実施例であるエレベータのセフティシューの発光部を示す断面斜視図である。本実施例は、内部にくぼみ２ｃを設けた光透過性材料２と、くぼみ２ｃに嵌合する棒状突起６を設けたセフティシューフレーム１にて構成されている。くぼみ２ｃは棒状突起６と嵌合するので長手方向の移動が抑制され、組立て時位置決めが容易である。また、光透過性材料２を外側から押し付けられても、棒状突起６により強度を確保できる。さらに、棒状突起６は、ネジ孔に螺合するネジやボルトなどでもよい。
【図面の簡単な説明】
【００１４】
【図１】本発明の一実施例であるエレベータの正面図。
【図２】図１におけるセフティシューの発光部を示す斜視図。
【図３】図１におけるセフティシューの発光部を示す断面図。
【図４】本発明の他の実施例であるエレベータのセフティシューの発光部を示す斜視図。
【図５】本発明の他の実施例であるエレベータのセフティシューの発光部を示す断面斜視図。
【符号の説明】
【００１５】
１…セフティシューフレーム、１ａ…溝、２…光透過性材料、２ａ…爪状突起、２ｂ…台状突起、２ｃ…くぼみ、３…光源、６…棒状突起。
【図１】
2007045613.tif 000003
【図２】
2007045613.tif 000004
【図３】
2007045613.tif 000005
【図４】
2007045613.tif 000006
【図５】
2007045613.tif 000007